Podtech/llm-jp-corpus-v4-ja_patent huggingface dataset:
(57)【要約】【課題】レーザーユニット端子部はフレキシブルプリント基板の最外周よりスペースをおいて内側に配された銅パタ−ン部に半田付けされているためポータブルタイプのプレーヤーに搭載する場合、ディスク径方向の外周側に大きくなるサイズのプレーヤーとなってしまう。【解決手段】レーザーユニットの端子部１０から延在する端子電極１２と、レーザーユニットの駆動電流を供給するフレキシブルプリント基板１１の端部電極１３との半田接続を、レーザー光の光軸中心に直交する面に設けることで、光ピックアップの小型化が達成できる。【選択図】図１
2006244628.tif 000002
【特許請求の範囲】
【請求項１】
対物レンズをディスクに追随させるアクチュエーター駆動部と、レーザー光を発生させるレーザーユニットと、前記レーザーユニットを接続するフレキシブルプリント基板と、前記レーザー光を前記対物レンズに導く光学部品と、光学ベースとを含む光ピックアップにおける前記レーザーユニットと前記フレキシブルプリント基板との接続部が、
前記レーザー光の光軸に対して直交する面で前記レーザーユニットから延在した複数の端子電極を有する端子部と、前記複数の端子電極に対応した位置で前記フレキシブルプリント基板の端部電極とを半田付けした半田付部を有する光ピックアップ。
【発明の詳細な説明】
【技術分野】
【０００１】
本発明は、ディスクにレ−ザ光を投影してディスクの記録再生を行う光学式ディスク再生装置に用いる光ピックアップに関するものである。
【背景技術】
【０００２】
従来技術として例えば、端子電極がレーザー光の光軸方向と平行に配されたレーザーユニットをフレキシブルプリント基板の穴部に挿入し、穴部の一部を折り曲げた湾曲部に配された銅パターンとレーザーユニットの端子電極とを半田付けするという構成が文献１に開示されている。
【０００３】
すなわち、図２は特許文献１に開示されている光ピックのレーザーユニットとフレキシブルプリント基板との接続部を説明する斜視図である。図２において２０はレーザーユニット、２１はレーザユニット２０に対してレーザ駆動電流を供給するフレキシブルプリント基板、２２はフレキシブルプリント基板２１の中央部に穿った穴部からレーザユニットを挿入した湾曲部、２３は湾曲部に形成された端子電極、２４はレーザーユニット２０の端子電極である。フレキシブルプリント基板２１に穿った穴部からレーザーユニット２０を挿入し、湾曲部の端子電極２３とレーザユニットの端子電極２４とを不図示の半田付部により電気的に接続する。
【特許文献１】特開２００３−２４９７３８号公報
【発明の開示】
【発明が解決しようとする課題】
【０００４】
上記従来の構成に於いては、図２中レーザーユニット２０の端子電極２４はフレキシブルプリント基板２１の最外周よりスペースをおいて内側に配された端子電極２４に半田付けされている。そのためポータブルタイプのプレーヤーに搭載する場合、ディスクの径方向の外周方向に大きくなるサイズのプレーヤーとなってしまい、ポータブルプレーヤーにおいて軽薄短小を追求するときの大きな障害となっている。
【０００５】
本発明は上記従来の問題点を解決するもので、ポータブルプレーヤーの小サイズ化に寄与する光ピックアップを提供するものである。
【課題を解決するための手段】
【０００６】
この目的を達成するために本発明の光ピックアップは、対物レンズをディスクに追随させるアクチュエーター駆動部とレーザー光を発生させるレーザーユニットとレーザーユニットを接続するフレキシブルプリント基板とレーザー光を対物レンズに導く数点の光学部品と光学ベ−スからなる光ピックアップにおいて前記レーザーユニットとフレキシブルプリント基板とのレーザーユニットの端子部の半田付け位置をディスク外周方向と同方向のフレキシブルプリント基板の最外周に位置させることによりポータブルプレーヤーの小サイズ化に寄与する光ピックアップを提供することができる。
【発明の効果】
【０００７】
以上のように本発明は、レーザーユニットの端子部とフレキシブルプリント基板との接続において、レーザーユニットの端子部の半田付け位置がディスク外周方向と同方向のフレキシブルプリント基板の最外周に位置させることにより、ポータブルプレーヤーの小サイズ化に寄与する光ピックを提供することができる。
【発明を実施するための最良の形態】
【０００８】
以下、本発明の実施の形態について、図１を用いて説明する。図１は本発明の実施の形態１における光ピックアップの要部を示す斜視図である。図１において、１０はレーザーユニットの端子部、１１はフレキシブルプリント基板、１２はレーザーユニットの端子部１０に接続された複数の端子電極、１３は複数の端子電極１２に対応する位置でフレキシブルプリント基板１１の端部に備える端部電極である。
【０００９】
同図に示すように、本発明のレーザーユニットの端子部１０の複数の端子電極１２とレーザーユニットの駆動電流等を供給するフレキシブルプリント基板１１の端部電極１３との半田付が、レーザー光の光軸中心に対して直交する面に施されている（換言すると、ディスク外周方向と同方向のフレキシブルプリント基板の最外周に位置させる）ため、レーザーユニットがフレキシブルプリント基板１１から突出することなく半田実装でき、ポータブルプレーヤー等に応用できる小型・薄型化を実現できる光ピックアップを提供することができる。
【産業上の利用可能性】
【００１０】
本発明にかかる光ピックアップは、ポータブルプレーヤーの小型化に寄与することができ、ディスクにレ−ザ光を投影してディスクの記録再生を行う光学式ディスク再生装置として有用である。
【図面の簡単な説明】
【００１１】
【図１】本発明の実施形態における光ピックアップの要部を示す斜視図
【図２】従来の光ピックアップの要部を示す斜視図
【符号の説明】
【００１２】
１０    レーザーユニットの端子部
１１    フレキシブルプリント基板
１２    端子電極
１３    端部電極
【図１】
2006244628.tif 000003
【図２】
2006244628.tif 000004
(57)【要約】【課題】従来の代表的な自動配線アルゴリズムにおいては、配線の所要時間とメモリーの消費量が大きい。  障害となる既配線を引き剥がしても処理が終わらないことがある。【解決手段】グリッドの各交点全てに配線可能か否かを表す数値を設定し、その数値を順次変更していくことによって、グリッドピッチごとに傷害の有無を調べつつ配線ラインを伸ばす（歩進させる）ことができる。  障害となる既配線のラインの位置をずらすことによって障害とならないようにすることができる。【選択図】  図１
2006244107.tif 000002
【特許請求の範囲】
【請求項１】
プリント基板上の２点間の配線経路を見つけるプリント基板自動配線において、グリッド交点の全てにその点の性質を表す初期数値を設定し、自動配線開始後にその数値を順次変化させ、その数値に基づいてグリッドピッチごとにグリッド線上に配線ラインを生成することを特徴とする自動配線アルゴリズム。
【請求項２】
プリント基板上の２点間の配線経路を見つけるプリント基板自動配線において、先に配線されているラインが障害となって配線できない場合、先に配線されているラインの位置をずらしつつ配線を進めることを特徴とする自動配線アルゴリズム。
【発明の詳細な説明】
【技術分野】
【０００１】
本発明は、プリント基板設計のための自動配線に関するものである。
【発明の開示】
【発明が解決しようとする課題】
【０００２】
解決しようとする問題点は、従来の代表的な自動配線アルゴリズムにおいては、スタートピンからターゲットピンまでの間の全ての障害の有無を調べてからラインを表示する方法であり、グリッド各部分の性質（配線可能であるか否か等）を調べる場合の所要時間とメモリーの消費量が大きいことである。  また、すでに配線されているラインが障害となっている場合、その障害ラインを引き剥がすという方法があるが、引き剥がしたラインを再度配線処理しなければならず、同じ部分で引き剥がし処理を繰り返して、配線を完了することができないということがある。  
【課題を解決するための手段】
【０００３】
本発明は、
1・基板の全面積部分にグリッドを設け、自動配線開始前にグリッドの交点（１）の全てにその交点の性質を表す数値を設定する。  たとえばピン（３）の位置の全てには数値０、配線禁止領域や基板取り付け穴位置にある交点の全てには数値２、配線可能な部分の交点の全てには数値３を設定する。  また、１本の配線が完了した時点でそのライン上の交点の全てには数値４が設定される。
2・接続しようとする一対の、一方のピン（スタートピン）からグリッドの１ピッチ分だけ配線ラインを表示する。  このとき、一対の他方のピン（ターゲットピン）がある方向とその方向の隣りの交点の数値が３であることを条件とする。
3・グリッドの１ピッチ分の配線ラインを表示した後、ラインを伸ばした先端の交点の数値を３から４に変更する。  ４に変更された交点から同じ条件でさらに１ピッチ分のラインを伸ばして表示する（歩進表示）。  これをターゲットピンに到達するまで繰り返すことにより、グリッドライン上に配線ラインを生成することができる。
4・スタートピン（４）から伸びたラインの先端がグリッド交点（５）に到達したとき、先に配線されているライン（２）と（８）が障害となっている場合、ライン（２）は（６）のように変更され、交点（５）の左側の交点の数値は４から３に変更される。  他の障害があるためにライン（２）を変更できない場合には、ライン（８）を変更する。
５・配線中のラインは交点（５）から順次、交点（７）へ進むことができる。
というアルゴリズムである。
【発明の効果】
【０００４】
配線のための所要時間とメモリー消費量が少ない。  引き剥がし処理のように、同じ１本の配線について処理を繰り返す必要がない。 
【図面の簡単な説明】
【０００５】
【図１】図１は、グリッド上の配線の進行中を示すものである。
【符号の説明】
【０００６】
1  グリッドの交点
２  先に配線されているライン
３  ピン（ランド）
４  配線中のラインのスタートピン
５  配線中のラインが障害の手前に到達した位置
６  障害となったラインの変更後のライン
７  配線中のラインの先端
８  先に配線されているライン
【図１】
2006244107.tif 000003
(57)【要約】【目的】本発明は冬も金属の冷たさを感じることなく、快適に握ることが出来る。また雨天時もグリップ性が向上する二輪車等のクラッチやブレーキのレバーの被覆を提供するものである。【解決手段】本発明は上記課題を解決するために二輪車等のクラッチやブレーキのレバーに、表面に凹凸加工またはグリップ性を向上させた加工を施した熱収縮チューブをかぶせた後、レバーの形状にあわせて熱収縮チューブを熱収縮させる。これによりレバーは熱収縮チューブにより被覆されるため、冬も金属の冷たさを感じることなく快適に握ることが出来る。また雨天時もグリップ性が向上する。【選択図】図２
2006244443.tif 000002
【特許請求の範囲】
【請求項１】
レバー１に、熱収縮チューブを素材とする被覆２をかぶせた後に、被覆２をレバー１の形状にあわせて、熱収縮させて被覆する。
【発明の詳細な説明】
【技術分野】
【０００１】本発明は二輪車等のクラッチやブレーキのレバーの被覆に関するものである。
【背景技術】
【０００２】従来の二輪車等のクラッチやブレーキのレバーは金属製あり、一般的にその表面はメッキ処理されたものがあった。
【発明の開示】
【発明が解決しようとする課題】
【０００３】従来の二輪車等のクラッチやブレーキのレバーは金属製あり、一般的にその表面はメッキ処理されたものが一般的であり、冬はレバー自体が非常に冷たくなるため、レバーを握ることが不快であった。
また、表面がすべすべしているので、雨天時は滑りやすく保持しにくかった。
本発明は上記の欠点を解決し冬も快適に握ることが出来て、雨天時にもグリップ性の高いレバーを実現するためになされたものである
【課題を解決するための手段】
【０００４】そして本発明は上記目的を達成するために、二輪車等のクラッチやブレーキのレバーに、表面に凹凸加工またはグリップ性を向上させた加工を施した熱収縮チューブの被覆をかぶせた後、レバーの形状にあわせて被覆を熱収縮させる。
これによりレバーは熱収縮チューブにより被覆されるため、冬も金属の冷たさを感じることなく快適に握ることが出来る。また雨天時もグリップ性が向上する。
【発明の効果】
【０００５】本発明は二輪車等のクラッチやブレーキのレバーに凹凸加工またはグリップ性を向上させた加工を施した熱収縮チューブをレバーの形状にあわせて熱収縮させて被覆するため、冬も金属の冷たさを感じることなく快適に握ることが出来る。また雨天時もグリップ性が向上する。
二輪車等のクラッチやブレーキのレバーに上記の被覆を施すことにより、年間をとおして、その操作を快適にすることが出来る。
今後製造されるものだけではなく、現在使用されている二輪車などにもこの被覆を施すことが出来る。
【発明を実施するための最良の形態】
【０００６】以下、本発明の実施例について図１により説明する。
被覆２として、表面に凹凸加工またはグリップ性を向上させた熱収縮チューブを用意。
レバー１に被覆２をかぶせた後に、被覆２をレバー１の形状にあわせて、熱収縮させる。
【図面の簡単な説明】
【０００８】
【図１】本発明の外観図である。
【図２】本発明の被覆をレバーけいじょうにあわせて熱収縮させた状態の外観図である。
【符号の説明】
【０００９】１  レバー    ２  被覆
【図１】
2006244443.tif 000003
【図２】
2006244443.tif 000004
(57)【要約】【課題】    車椅子をクリーニングするビジネス手法を提供すること。【解決手段】本部が、全国の車椅子利用者を顧客とする事業所、介護用品店、また、ハウスクリーニング業等など車椅子クリーニング事業を展開しようとする開業希望者向けに、本部から電話回線やパソコン上のメール配信、ビデオテープやＤＶＤなどの電子媒体等の配布にて車椅子のクリーニングの技術指導や助言、またクリーニング機材の有償提供などを行う。技術習得後は開業者側で顧客獲得の為の営業と車椅子のクリーニング施工を行う。【選択図】  図１
2006244437.tif 000002
【特許請求の範囲】
【請求項１】
車椅子をクリーニングするサービスのビジネス手法。
【発明の詳細な説明】
【技術分野】
【０００１】  この発明は、車椅子をクリーニングするビジネス手法に関するものである。
【背景技術】
【０００２】  従来、車椅子は日常生活上での外出や利用者の食事、また公共施設等での不特定多数の利用などで汚れてしまうが、車椅子をクリーニングする業者が普及しておらず、ユーザー側では汚れが落とせずそのままに利用をするか、又は簡単なふき取り程度の手入れとなっていた。
【発明の開示】
【発明が解決しようとする課題】
【０００３】  しかしながら、車椅子は汚れが進行するとシミ、臭い、錆びなども発生し清潔性も損なわれる。
また、車椅子のクリーニングを依頼するにも、現状ではそのサービス提供及びビジネス手法も確立されていないため普及していない。
本発明は以上のような課題を解決するためになされたものである。
【課題を解決するための手段】
【０００４】  車椅子をクリーニングするビジネスを希望する事業所、事業者に対し本部がクリーニングの技術指導をすることや、クリーニング用機材等の有償にての提供等を展開することでビジネス手法を開業者に提供し、全国的に車椅子のクリーニングの普及を図る。
本発明は以上のことで上記問題を解決する。
【発明の効果】
【０００５】  本発明により、車椅子の清潔性が向上する。
またビジネス展開としては、車椅子を所有している介護福祉施設、病院、ホテル、個人宅などから、クリーニングの定期的なオーダーが見込まれ、車椅子利用者を顧客とする事業所、介護用品店、ハウスクリーニング業などが車椅子をクリーニングするという新たなビジネスチャンスを得ることが出来る。
【発明を実施するための最良の形態】
【０００６】  以下、本発明を実施するための最良の形態について説明する。
図１に示されるように本部（１）から各車椅子クリーニング事業開業希望者（２）に対し電話回線（３）やパソコン上のメール（４）配信、ビデオテープ（５）やＤＶＤ（６）などの電子媒体の配布により車椅子のクリーニングの技術指導や助言を行う。技術習得後は開業希望者側で顧客（７）獲得の為の営業と車椅子のクリーニング施工を行う。
このようなシステムにより全国的な車椅子のクリーニング事業を効率的に普及することが可能となる。
【図面の簡単な説明】
【０００７】
【図１】  本発明のフローチャート図である。
【符号の説明】
【０００８】      １  本部
２  車椅子クリーニング事業開業希望者
３  電話回線
４  メール
５  ビデオテープ
６  ＤＶＤ
７  顧客
【図１】
2006244437.tif 000003
(57)【要約】【課題】従来のコンピュータアプリケーションの入力データまたは電算処理後データの保存方法は電子記憶媒体を用いてデータ保存をおこなうのが一般的であるが、保存データが何らかの要因で読み出せない状態（データが壊れた状態）になった場合に目視で確認することはできない。【解決手段】入力データまたは電算処理後データを暗号化し、一次元バーコードまたは二次元バーコードとして印刷し、紙でデータ保存する。また、データを読み込む場合にはスキャナを用いて読み込む。バーコードがデータとなる為、保存データの状態が目視で確認できる。また、電子記憶媒体の価格より、紙１枚の印刷物のほうが安価である。【特許請求の範囲】
【請求項１】
コンピュータアプリケーションの入力データまたは電算処理後データを暗号化し、一次元バーコードまたは二次元バーコードに変換し、印刷物として保存する方法
【発明の詳細な説明】
【技術分野】
【０００１】本発明は、コンピュータアプリケーションのデータ保存方法に関するものである。
【背景技術】
【０００２】従来のコンピュータアプリケーションの入力データまたは電算処理後データ保存方法はハードディスク・フロッピーディスク・ＣＤ・ＤＶＤ・ＲＡＭなどの電子記憶媒体を用いてデータ保存をおこなうのが一般的であるが、保存データが何らかの要因で読み出せない状態（データが壊れた状態）を目視で確認することはできない。また、電子記憶媒体の価格は紙１枚の印刷物に比べ高価である。
【発明の開示】
【発明が解決しようとする課題】
【０００３】解決しようとする問題点は、コンピュータアプリケーションの入力データまたは電算処理後データを暗号化し、紙の印刷物で保存し、データの壊れた状態を目視で確認できること。【０００４】紙の印刷物データは暗号化し、解読が不可能であること。【０００５】紙の印刷物データから、コンピュータアプリケーションに読み込めること。【０００６】本発明はデータを電子記憶媒体に保存させるのではなく、紙の印刷物に保存することを目的とする。
【課題を解決するための手段】
【０００７】本発明は、上記目的を達成するために、コンピュータアプリケーションの入力データまたは電算処理後データを暗号化し、一次元バーコードまたは二次元バーコードとして印刷し、紙でデータ保存する。【０００８】データ保存した、バーコードはスキャナでコンピュータに取り込み、アプリケーションで暗号化されたデータを解読することで正式データして、利用することができる。【０００９】バーコードでデータ保存することで、バーコードが汚れたり、紙が破れたりなど、データの壊れた状態を目視で確認することができる。【００１０】暗号化されたデータをバーコード化している為、市販のスキャナで英数文字や記号が判読できたとしても、実際のデータとしては解読できない。【００１１】電子記憶媒体の価格より、紙１枚の印刷物のほうが安価である。
【発明の効果】
【００１２】上述したように本発明のデータ保存方法は電子記憶媒体の保存データが読み出せない状態（データが壊れた状態）を目視で確認することはできない弱点を克服し、単純かつ安価な方法でデータ保存を提供することができる。
【発明を実施するための最良の形態】
【００１３】たとえば、所得税の確定申告下書き書類作成アプリケーションで入力データを入力し、電算処理後、所得税の確定申告下書き書類をプリントアウトします。【００１４】入力データ及び計算結果データを暗号化処理した後、一次元バーコードまたは二次元バーコードとしてプリントアウトし、別紙データペーパーとして、申告者に保存してもらいます。【００１５】所得税の確定申告下書き書類や別紙データペーパーをプリントアウト後の入力データまたは計算結果データはコンピュータの記憶装置から自動的に削除します。【００１６】たとえば、所得税の計算方法が変化した場合にでも、年金受給者の所得は昨年と同じになる場合が多いので、昨年の入力データのバーコードをスキャナで読取ることで、データ入力作業を軽減することができます。【００１７】年金受給者のような高齢者は重要書類の取り扱いに慣れており、データペーパーを大切の保存し、データの読み出せない状態（データが壊れた状態）を少なくすることができる。
(57)【要約】【課題】外国語のできない日本人が多いが、その人たちは、ツア−に参加する以外海外旅行はできなかったが、通訳同伴と同じように単独で海外旅行を楽しめるようにしたい。【解決手段】日本語から英語、フランス語、ドイツ語、韓国語、中国語の５か国語に自動通訳できるシステムを内蔵した、ワイヤレスマイクタイプの自動通訳機を考案し、外国人にインタビュ−するような形で、自由に外国人と会話する。そのために、共通のマイクで得た音声を、選択した外国語に通訳して、外国語スピ−カ−を通して相手に伝え、相手からの応答をマイクから自動通訳システムにより日本語スピ−カ−を通して会話する。以上のようなことができるような共用マイク、自動通訳システム、外国語スピ−カ−、日本語スピ−カ−、英、仏、独、韓、中の選択釦および選択キ−を設置し、外国でも充電できる電池を内蔵する。【選択図】図１
2006244438.tif 000002
【特許請求の範囲】
【請求項１】
日本語を英語、フランス語、ドイツ語、韓国語、中国語の５ヵ国語に通訳できる音声だけの自動通訳機。
【発明の詳細な説明】
【技術分野】
【０００１】本発明は、海外旅行希望の日本人に通訳を同伴したと同効果を持つ自動通訳機に関する
【背景技術】
【０００２】従来文字入力、外国語変換の一方的翻訳機だけで、音声だけの自動通訳機はなかった。
【発明の開示】
【発明が解決しようとする課題】
【０００３】  ヒヤリングのできない人は従来の翻訳機では、一方的で、外国人とコミニケ−ションが取れなかったので、外国語のできない人でも安心して海外旅行ができるようにしたい
【課題を解決するための手段】
【０００４】  ワイヤレスマイクスタイルの握り手の部分に自動通訳システム及び電源を内蔵する。【０００５】  握り手の部分の上部に、英、仏、独、韓、中の５カ国語の選択スイッチを設置する。【０００６】  マイクの真下の両側に、日本語と外国語のスピ−カ−をそれぞれ設置する。【０００７】  それぞれのスピ−カ−の下に、日本語と外国語の音声の切替スイッチを設置する。
【発明の効果】
【０００８】  外国語ができなかったので、海外旅行はツア−ばかりでしたが、本発明品があれば、単独でも自由に、海外旅行ができる。
【発明を実施するための最良の形態】
【０００９】  手前に日本語のスピ−カ−を向けた状態で持ち、日本語で話し、外国語のスイッチを押す。相手が応答したら、手前の日本語のスピ−カ−のスイッチを押して会話する。
【図面の簡単な説明】
【００１０】
【図１】  本発明の全体像を示す外観図
【符号の説明】
【００１１】１・・・マイク
２・・・日本語スピ−カ−
３・・・外国語スピ−カ−
４・・・英語、フランス語、ドイツ語、韓国語、中国語の区分
５・・・外国語の選択スイッチ
６・・・日本語スピ−カ−のスイッチ
７・・・選択した外国語のスピ−カ−のスイッチ
８・・・メンテナンスなどの時に持ち手の部分を半分に開く開閉区画
【図１】
2006244438.tif 000003
(57)【要約】      （修正有）【課題】非力な人が一人でも相手を捕まえる事ができるようにする。【解決手段】丸い輪に袋のように網をつける。分割し折り曲げた二つの半円がバネによって手元にひいた紐を離すと、一つの輪になる。網の長さを１ｍ〜１ｍ５０ｃｍにして、下に下ろしても侵入者の足のほうまで届くようにする。半円を引っ張った紐の先端を手元のところに鉤型を２つ作り片方は、引くと輪が半円となり二つ重なった状態になる。もう一つの紐は足元近くの網にひけば閉まるようにまわしておく。【選択図】図７
2006244433.tif 000002
【特許請求の範囲】
【請求項１】
本製品は侵入者を簡単に捕まえるために開発しました。
【発明の詳細な説明】
【考案の詳細な説明】
【技術分野】
【０００１】本考案は、昆虫を上からかぶせて捕る網をもとにして考えたものです。【０００２】網の部分を二分割し，バネでつないで折り曲げ，手元の網に前半分を紐をつけて引っ張り，上下として合わせます。侵入者の胸のところまで持っていき手元の紐を離します。網は丸い円に約１ｍ５０ｃｍの長さにします。侵入者の前が見えないように，網の前縦の長さに目隠しのシートを張ります。
【背景技術】
【０００３】従来の技術は、数人がかりで何本ものさつまたを使い押さえつけるものでした。学校関係者のような女性や非力の方には，危険でした。
【考案が解決しようとする課題】
【０００４】非力な人が一人でも相手を捕まえる事が出来る様にする事
【課題を解決するための手段】
【０００５】丸い輪に袋のように網をつけます。分割した折り曲げた二つの半円がバネによって手元にひいた紐を離すと，一つの輪になります。網の長さが１ｍ〜１ｍ５０ｃｍにして，下に下ろしても侵入者の足のほうまで届くようにしてあります。半円を引っ張った紐の先端を手元の所に鉤型を２つ作り片方は，ひきますと輪が半円となり二つ重なった状態になります。もう一つの紐は足元近くの網に引けば締まるようにまわしてあります。その先端も，手元のカギに引っ掛けておきます。
【発明を実施するための最良の形態】
【０００６】網をかぶせ、網が足元まで下ろすことが出来ますのですかさず，網の周りに引っ張れば締まるような工夫を施し、相手が転ぶような仕掛けを用意しました。また網と鉄の輪が簡単に外れるように紐で蝶々結びにしてあります。その紐を引っ張ると網と輪の本体が外れます。すぐに締めた紐がまだ長いので両足首をぐるぐる巻きにし，警察が来るまで待つ事が出来ます。
【実施例】
【０００７】図面を使って説明します。
【図面の簡単な説明】
【０００８】
【０００９】図面１は本体。二つ折りの所にバネをつけて，引き戻しの紐をつけたところ中央の半円と柄の付け根の所に侵入者が向かってきた時，胸，お腹に押し当てて衝撃を与える突起棒または球【００１０】図面２は網を本体の輪につけ，犯人の入った網を縛る紐をつけたところ【００１１】図面３は網を引いて二つ折りに合わせたところ。通常のさすまたの状態。【００１２】図面４犯人の胸元に寄せた所【００１３】図面５は引き寄せた綱を一瞬にして外し，犯人にかぶせようとした状態【００１４】図面６は犯人に網をかぶせた状態【００１５】図面７は網を一気に足元まで下ろし，紐を引き，網を閉じることで犯人を身動きできなくしている状態。倒れたら手に持っている紐で足首を縛り上げる。
【図１】
2006244433.tif 000003
【図２】
2006244433.tif 000004
【図３】
2006244433.tif 000005
【図４】
2006244433.tif 000006
【図５】
2006244433.tif 000007
【図６】
2006244433.tif 000008
【図７】
2006244433.tif 000009
(57)【要約】【課題】  本発明はＰＣ（パーソナルコンピューター）操作に大きな働きをもたらすマウスの操作を機能的にして、微妙なポイント位置を設定できる形態にしたかった。また従来のノート型ＰＣではマウス機能が無いに等しいほど使いかってが悪かった。【解決手段】  従来タイプの欠点とも言えるデスク上のマウスの動きをおさえる為に、マウスの底面に設置してあった画面上のポイント位置を示す感知するセンサー部分を、上部に設置してレバーを操作してポイント位置を指一本で操作できる様にした。その結果マウス自体を動かす事が無く、マウスを固定した位置で使用できるようになる。  また、ノート型ＰＣにも操作レバーシステムを活用してマウスと同じ様に指先一本でスムーズな動きをするようになるのである。【選択図】    図１
2006244435.tif 000002
【特許請求の範囲】
【請求項１】
ＰＣマウスの基本的構造を改め、画面上のポイント位置移動させる為にマウスに備えある感知センサーを、底面から表面に設置位置を変え感知レバー設けて、指一本でポイント位置設定を操作できる様にした構造システム。
【請求項２】
ノート型ＰＣにも操作レバーを活用してマウスと同じ様に指先一本でスムーズにポイント位置を設定できる様にしたレバーシステム。
【発明の詳細な説明】
【技術分野】
【０００１】  本発明はＰＣ（パーソナルコンピューター）操作に大きな働きをもたらすマウスをモデルチェンジして新たな操作法を取り入れた新型マウスに関するものである。
【背景技術】
【０００２】  近年、ＰＣの発達は目を見張るばかり、ＰＣ自体は元よりウインドーズ・マッキントッシュと言ったＯＳを知らない人はいないほど広く知られている。またインターネットの普及も進み各家庭に一台はＰＣが備わっている。そのＰＣ操作で欠かす事のできない働きをするのがマウスである。ねずみを語源としただけ合って、デザインや動きは正にマウスその物である。
このマウスだけは従来からそれほど進歩していないのが現状である。確かに裏に設置してあるセンサー部分を赤いレーザー探知システムに変えてみたり、本体と接続していた配線が無くなるなど小さな変化は施されているが、機能的な開発は進んでいない。このマウスはデスクの上を動き回ると言う特徴がある、この特徴がデスクに置いてある本や資料等にぶつかり、上手くポイント位置を設定できないと言う欠点なのだが、その開発だけは残されてしまっている。
またノート型ＰＣにはキーボード下にマウスと同様の働きをする装置が付いてはいるが、実に使いかってが悪く片手で操作もできない。その為ほとんどの人は外付けのマウスを購入して使用しているのが現状である。外付けマウスを使用すると、先に書いた問題がノート型ＰＣにも付きまとう結果となる。何よりノート型ＰＣは携帯できる便利さが売りである。その使いかっても低下してしまい、使用する時に一定の場所が必要になった。
【発明の開示】
【発明が解決しようとする課題】
【０００３】  ＰＣ機能で大きな働きを成しているマウス操作を、より正確に操作にして尚且つ場所を取らないと言う操作機能を充実させる事ができる。またノート型ＰＣに備わっている従来機能もよりポイント位置操作を片手でこなす事もでき、外付けマウス並みの機能を発揮させ様とするものである。
本発明はこれらの問題点を解決するためになされたものである。
【課題を解決するための手段】
【０００４】  従来タイプの欠点とも言えるマウス操作に伴うデスク上の動きをおさえる為に、マウスの底面に設置してあった画面上のポイント位置を示す感知するセンサー部分を上部に設置して、レバーを操作してポイント位置を指一本で操作できる様にした。その結果マウス自体を動かす事が無く、マウスを固定した位置で使用できるようになる。
また、ノート型ＰＣにも操作レバーシステムを活用してマウスと同じ様に指先一本でスムーズな動きをするようになるのである。
【発明の効果】
【０００５】  この発明を組み入れる事でマウス操作も敏感になり、なおかつ正確に行う事が出来ようになる。またノート型ＰＣでも、外付けマウス並みの機能性を合わせ持つ事が可能になり、外出先でＰＣを操作する際も大変が楽になる。
【発明を実施するための最良の形態】
【０００６】  本発明は、以下の構成・考え方からなっている。
（イ）  従来タイプではマウスでは、操作に伴う動きを底面に備えた丸い玉の転がりを三点のセンサーで感知していた。後にその玉の代わりに赤色レーザー感知システムに改善させたが、それでもデスクの上を動き回るのは従来タイプと同じであった。本発明はその動きを表面にもって行き、一本のレバーを備え付けて画面上の動きを司る。
（ロ）  従来モデルの欠点を取り除くためには、底面に備え付けていたセンサーを上部に備え付けるキッカケになったのは子供の操るゲームのコントローラーである。画面に映しだされるキャラクターを指先一本で操っている動きは敏感で尚且つスムーズ、正にマウス操作の理想的な動きをしていた。考えて見れば底面で操作をする方が不自然だったのだ。表面操作へ変えてみても技術的は問題が無い、既にゲームコントローラーで立証済みであるから、ゲームと同じように指先操作が可能である事はわかる。
（ハ）  レバー操作にすると微妙な操作が可能になり、図面やペイント使う際も従来よりも上手く書く事ができる。レバー一本で描く事が出きるとペン先で書く感覚に近くなり仕上がりも上手くいく。その微妙なタッチが従来モデルより数段良くする事ができる。
以下、本発明の実践例を説明します。
（イ）  従来からのマウスと違い、本体を動かす事がなくなる。本体（１）を好きな所に置き、操作レバー（３）を指先で操作する。
（ロ）  クリック操作は従来とは違い、左クリック（６）を親指・右クリック（７）を薬指で押すと、より操作が楽になる。
（ハ）  ノート型ＰＣには、従来マス状の部分に感知センサー（８）を備え付け、中央部分にネジ込むタイプの操作レバーを備え付ける。クリックボタンは従来タイプをそのまま使うので、多少指がとどきづらい場合もあるが、従来タイプよりは数段使いかってが良くなる。
（ニ）  ノート型ＰＣを折りたたむ場合は、ネジ込んで使用していた操作レバー（１０）をはずし、キーボード下にある収納スペース（１１）に、収納保管して置く。
【図面の簡単な説明】
【０００７】
【図１】  本発明のマウス斜視図
【図２】  本発明のノート型ＰＣ使用斜視図
【符号の説明】
【０００８】      １    マウス本体
２    感知センサー１
３    操作レバー１
４    スクロール
５    マウス固定足
６    左クリック
７    右クリック
８    ねじ込み穴
９    感知センサー２
１０  操作レバー２
１１  収納スペース
【図１】
2006244435.tif 000003
【図２】
2006244435.tif 000004
(57)【要約】      （修正有）【課題】捲回形密閉式鉛蓄電池の捲回時の巻きずれを防止して内部短絡を抑制する事ができる捲回型密閉式鉛蓄電池を提供する。【解決手段】正極板および負極板ともに両面にペースト紙が貼り付けてあり、正極板および負極板それぞれにおいて、捲回時に内側になる面のペースト紙３が、外側になる面のペースト紙４よりも厚みを薄くすることで捲回時の巻きずれを防止する。ペースト紙の厚みの比率比Ｐ／Ｑ（Ｐ：内側になるペースト紙の厚み、Ｑ：外側になるペースト紙の厚み）としては、０．１≦Ｐ／Ｑ≦０．７が適切な値である。【選択図】図１
2006269139.tif 000002
【特許請求の範囲】
【請求項１】
正極板および負極板とがセパレータを介して捲回された電極群を持つ捲回形密閉式鉛蓄電池において、正極板および負極板ともに両面にペースト紙が貼り付けてあり、正極板および負極板それぞれにおいて、捲回時に内側になる面のペースト紙が、外側になる面のペースト紙よりも厚みが薄いことを特徴とする捲回型密閉式鉛蓄電池。
【請求項２】
正極板および負極板とがセパレータを介して捲回された電極群を持つ捲回形密閉式鉛蓄電池において、正極板および負極板ともに両面にペースト紙が貼り付けてあり、正極板および負極板それぞれにおいて、捲回時に内側になる面のペースト紙が、外側になる面のペースト紙よりも厚みが薄いことを特徴とする捲回型密閉式鉛蓄電池の製造方法。
【請求項３】
内側になるペースト紙の厚みＰと外側になるペースト紙の厚みＱの比Ｐ／Ｑが、０．１≦Ｐ／Ｑ≦０．７であることを特徴とする請求項１記載の捲回型密閉式鉛蓄電池
【発明の詳細な説明】
【技術分野】
【０００１】
本発明は捲回型密閉式鉛蓄電池に関するものである。
【背景技術】
【０００２】
捲回型密閉式鉛蓄電池の電極群は、長尺の正負極板をセパレータを介して捲回された構造をもっている。長尺の比較的やわらかい極板を取り扱うため、活物質の脱落を防止することは重要な課題である。一方、長尺な極板を捲回した構造であるため、巻きずれの発生しにくい構造であることが要求される。特許文献１には、極板に貼り付けるセパレータにペースト紙を用い、ペースト紙にスリット加工を施すことにより活物質の脱落を防止し、かつ巻きずれを防止することが提案されている。
【０００３】
【特許文献１】特開２００２−１５８０３０号公報
【発明の開示】
【発明が解決しようとする課題】
【０００４】
上記記載の技術により、巻きずれを防止することが可能であるが、高速で捲回をおこなうと、貼り付けたペースト紙の破断が不規則に発生するようになるため、十分な巻きずれ防止効果が得られなかった。巻きずれがあると内部短絡を発生しやすくなり、電池の不良率が増加する。
【課題を解決するための手段】
【０００５】
本発明は以上のことを鑑みてなされたものである。
【０００６】
正極板および負極板とがセパレータを介して捲回された電極群を持つ捲回型密閉式鉛蓄電池において、正極板および負極板ともに両面にペースト紙が貼り付けてあり、正極板および負極板それぞれにおいて、捲回時に内側になる面のペースト紙が、外側になる面のペースト紙よりも厚みが薄いことを特徴とする。
【発明の効果】
【０００７】
本発明による捲回型密閉式鉛蓄電池は、極板に貼り付けたペースト紙によって、活物質の脱落を抑制することができる。また、捲回時に内側となる面と外側になる面では曲率が違うために、内側のペースト紙はたるむ方向の力を受け、外側のペースト紙は引っ張られる方向の力を受けることになり、このことが極板の巻きずれの原因となっているが、内側のペースト紙の厚みを外側のペースト紙の厚みよりも薄くすることにより、これらの力を緩和することが可能となり、巻きずれを抑制することができる。
【発明を実施するための最良の形態】
【０００８】
以下、本発明を実施例に基づいて詳細に説明するが、本発明は下記実施例に何ら限定されるものではなく、その要旨を変更しない範囲において、適宜変更して実施することができる。
【実施例】
【０００９】
本発明の実施例を以下に説明する。
【００１０】
厚さ０．７ｍｍの鉛合金箔を用いて幅８０ｍｍ×長さ６００ｍｍの集電体を打ち抜き格子により作製した。次に前記集電体を用いて電極を作製した。正極は酸化度７０％の鉛粉と希硫酸とを混練し活物質ペーストを得た後、集電体に充填した。負極は酸化度７０％の鉛粉に少量の炭素粉末、リグニン、バリウム化合物を加え、希硫酸と混練した後、集電体に充填した。
【００１１】
活物質ペーストを充填する際、ペースト紙の上に集電体を置き、その上から適度の圧力をかけながら充填した。充填後、上からペースト紙を置いた。充填時の圧力を調整することにより、集電体の下側にあるペースト紙を他方のペースト紙よりも薄くした。なお、本実施例ではペースト紙の厚みを充填時に調整したが、厚みの異なるペースト紙を使用しても何ら問題はない。
するためである。
【００１２】
【表１】
2006269139.tif 000003
【００１３】
これら捲回電極群の巻きずれの個数を確認した結果を図２に示す。Ｐ/Ｑが１.０以上、すなわち内側のペースト紙の厚みが外側のペースト紙よりも厚い場合、巻きずれした捲回群は多いが、Ｐ/Ｑが１．０未満になると巻きずれした捲回群の個数は減少する。さらには、内側のペースト紙の厚みを外側のペースト紙の厚みの０.７以下にすることで、巻きずれを防止することが可能となった。
【００１４】
上記のように、正極板および負極板とがセパレータを介して捲回された電極群を持つ捲回形密閉式鉛蓄電池において、正極板および負極板ともに両面にペースト紙が貼り付けてあり、正極板および負極板それぞれにおいて、捲回時に内側になる面のペースト紙が、外側になる面のペースト紙よりも厚みを薄くすることで捲回時の巻きずれを防止することができる。ペースト紙の厚みの比率Ｐ／Ｑ（Ｐ：内側になるペースト紙の厚み、Ｑ：外側になるペースト紙の厚み）としては、０．１≦Ｐ／Ｑ≦０．７が適切な値である。
【図面の簡単な説明】
【００１５】
【図１】捲回電極群及び極板とペースト紙の配置を示す図である。
【図２】ペースト紙の厚みの比率と巻きずれの関係を示す図である。
【符号の説明】
【００１６】
１  捲回電極群
２  極板
３  内側になる面のペースト紙，
４  外側になる面のペースト紙
【図１】
2006269139.tif 000004
【図２】
2006269139.tif 000005
(57)【要約】【課題】  従来、半導体ウエハなどの加熱処理のために、セラミックファイバヒータを用いた加熱装置を使用する場合、加熱中、断熱材のセラミックファイバからパーティクルが発生するおそれがあり、半導体ウエハに不純物が付着したり、加熱装置の清掃に手間がかかるという欠点があった。【解決手段】  本発明のセラミックヒータはセラミックファイバ成形体と、このセラミックファイバ成形体に設けた発熱体と、上記セラミックファイバ成形体の表面に設けた耐熱ポリイミド被膜とよりなることを特徴とする。【選択図】  図１
2006269336.tif 000002
【特許請求の範囲】
【請求項１】
セラミックファイバ成形体と、このセラミックファイバ成形体に設けた発熱体と、上記セラミックファイバ成形体の表面に設けた耐熱ポリイミド被膜とよりなることを特徴とするセラミックヒータ。
【発明の詳細な説明】
【技術分野】
【０００１】
本発明はセラミックヒータ、特に半導体ウエハなどの被処理体に対して熱処理を行うセラミックヒータに関するものである。
【背景技術】
【０００２】
従来、セラミックファイバヒータはメンテナンスが容易で温度分布が良いため、半導体ウエハなどの加熱処理に使われる。このようなセラミックファイバヒータを用いた加熱装置としては特許文献１に記載されたものがある。
【特許文献１】特開平７−６９７３号
【発明の開示】
【発明が解決しようとする課題】
【０００３】
然しながら、半導体ウエハなどの加熱処理のために、セラミックファイバヒータを用いた加熱装置を使用する場合、加熱中、断熱材のセラミックファイバーからパーティクルが発生するおそれがあり、半導体ウエハに不純物が付着したり、加熱装置の清掃に手間がかかるという欠点があった。
【０００４】
本発明は上記のような欠点を除くようにしたものである。
【課題を解決するための手段】
【０００５】
本発明のセラミックヒータは、セラミックファイバ成形体と、このセラミックファイバ成形体に設けた発熱体と、上記セラミックファイバ成形体の表面に設けた耐熱ポリイミド被膜とよりなることを特徴とする。
【発明の効果】
【０００６】
本発明のセラミックヒータにおいては、半導体の加熱装置に長期に亘って用いても、断熱材のセラミックファイバーからパーティクルの発生がないので、半導体製造装置、配管や関連設備等のクリーンルーム内で使用できるという大きな利益がある。
【発明を実施するための最良の形態】
【０００７】
以下図面によって本発明の実施例を説明する。
【実施例１】
【０００８】
本発明のセラミックヒータは、図１に示すように、アルミナやシリカ等からなる板状のセラミックファイバ成形体１と、上記セラミックファイバ成形体１に、一体成形により又は埋め込みにより設けた発熱体（図示せず）と、上記セラミックファイバ成形体１の表面に設けた耐熱ポリイミド被膜２と、上記発熱体のリード線３とよりなる。
【０００９】
上記発熱体としては、例えば、波形に折り曲げ加工した直径２〜３ｍｍのヒータ素線や、赤外線ランプや石英管ヒータを主体とした赤外線を発熱源としたヒータ素子がある。
【００１０】
また、上記耐熱ポリイミド被膜２は、上記セラミックファイバ成形体１の表面に耐熱被覆用ポリイミドワニスを塗布し、高温で焼付け、溶媒を除去せしめることにより形成せしめ、これにより、セラミックファイバ成形体１の表面に不溶不融で耐熱性、耐薬品性に優れたポリイミド被膜を形成せしめることができる。
【００１１】
なお、上記ポリイミド被膜は５００℃以下で熱分解することなく、使用中軟化したり、流動したりすることのないものが望ましい。
【００１２】
また、塗布ではなく、耐熱被覆用ポリイミドワニスにセラミックファイバ成形体１を浸漬し、その後に溶剤除去し、乾燥処理して被膜を形成せしめてもよい。
【００１３】
また、板状のセラミックファイバ成形体１を用いる代わりに、図２に示すように半円筒形状のセラミックファイバ成形体４を用いても良く、また、円筒形状のセラミックファイバ成形体や任意の形状のセラミックファイバ成形体を用いてもよい。
【００１４】
また、ポリイミド被膜はセラミックファイバ成形体１の全面又は一部に設けてもよい。
【００１５】
また、発熱体は埋め込まずにセラミックファイバ成形体１の表面に設けてもよい。
【００１６】
本発明のセラミックヒータにおいては、半導体の加熱装置に長期に亘って用いても、断熱材のセラミックファイバーからパーティクルの発生がないので、半導体製造装置、配管や関連設備等のクリーンルーム内で使用できるという大きな利益がある。
【００１７】
また、セラミックファイバヒータの吸湿性を抑えることができるので、加熱特性が向上する。
【００１８】
また、耐熱ポリイミドを塗布することで、セラミックファイバヒータの表面が硬化するので、耐摩耗性が向上するので、長期に亘って安定した性能を有する。
【図面の簡単な説明】
【００１９】
【図１】本発明のセラミックヒータの斜視図である。
【図２】本発明のセラミックヒータの他の実施例の斜視図である。
【符号の説明】
【００２０】
１  セラミックファイバ成形体
２  ポリイミド被膜
３  リード線
４  セラミックファイバ成形体
【図１】
2006269336.tif 000003
【図２】
2006269336.tif 000004
(57)【要約】【課題】本発明は、主に高周波用途で使用されるセラミックデバイスに関するものであり、セラミックデバイスにおけるアイソレーション特性を向上させることを目的とする。【解決手段】セラミック基体１と、このセラミック基体１の内部に設けられ所定の回路を形成する内部電極２と、前記セラミック基体１の外表面において前記内部電極２と電気的に接続された端子電極３とを有し、前記端子電極３間に位置する前記セラミック基体１の表面を粗面化した構成とした。【選択図】図１
2006269724.tif 000002
【特許請求の範囲】
【請求項１】
セラミック基体と、このセラミック基体の内部に設けられ所定の回路を形成する内部電極と、前記セラミック基体の外表面において前記内部電極と電気的に接続された端子電極とを有し、前記端子電極間に位置する前記セラミック基体の表面を粗面化したことを特徴とするセラミックデバイス。
【請求項２】
端子電極間に位置するセラミック基体の表面に絶縁性粒子を付着させたことを特徴とする請求項１に記載のセラミックデバイス。
【請求項３】
絶縁性粒子をセラミック基体を形成する材料を主原料として形成したことを特徴とする請求項２に記載のセラミックデバイス。
【発明の詳細な説明】
【技術分野】
【０００１】
本発明は、主に高周波用途で使用されるセラミックデバイスに関するものである。
【背景技術】
【０００２】
セラミックデバイスは、通常、多数個取り用のセラミックグリーンシートに所定の内部電極を形成したものを準備し、このセラミックグリーンシートを適宜積層し、この積層体を焼成した後に小片化するものである。
【０００３】
そして、この焼結体の小片化にあたっては、通常、焼結体をダイシングなどの切断手法により分割する方法や、焼結体に予め溝を形成しておきこの溝を用いて分割する方法が用いられている。
【０００４】
なお、この出願の発明に関連する先行技術文献情報としては、例えば、特許文献１が知られている。
【特許文献１】特開平７−９９２６３号公報
【発明の開示】
【発明が解決しようとする課題】
【０００５】
しかしながら、これらの方法では分割後に得られたセラミックデバイスの分割面、つまり、セラミックデバイスの側面においてはセラミック基体が露出した平坦面となり、このセラミック基体が露出した部分に内部電極と電気的に接続された外部接続用の端子電極を設けた場合、セラミック基体の表面が平坦面であることから、隣接する端子電極間に微少電流が流れやすくなってしまい、セラミックデバイスのアイソレーション特性が劣化してしまうという問題が生じていた。
【０００６】
そこで、本発明はこのような問題を解決し、セラミックデバイスのアイソレーション特性を向上させることを目的とする。
【課題を解決するための手段】
【０００７】
この目的を達成するために本発明は、セラミックデバイスを形成するセラミック基体における端子電極間に位置する領域を粗面化した構成としたのである。
【発明の効果】
【０００８】
この構成により、セラミックデバイスを回路基板に実装した際のアイソレーション特性を向上させることが出来るのである。
【発明を実施するための最良の形態】
【０００９】
以下、本発明における一実施形態について図面を用いて説明する。
【００１０】
図１は、本発明のセラミックデバイスにおける断面を示した模式図であり、ブロック状のセラミック基体１の内部において、回路形成に必要となるインダクタやコンデンサやストリップラインなどの回路素子を適宜形成する内部電極２が三次元的に形成され高周波フィルタや高周波スイッチなどの高周波回路が形成され、セラミックデバイスの実装面となる下面には内部電極２と電気的に接続された端子電極３が適宜設けられている。
【００１１】
セラミック基体１を形成する材料としては、誘電体、磁性体、或いはそれらの複合体や、種々の誘電率を持つ誘電体を複合させる場合などが挙げられるが、特に限定されるものではない。
【００１２】
内部電極２や端子電極３を形成する材料としては、Ａｇ、Ｃｕ、Ｐｔ、Ａｕ、Ｐｄ、Ｎｉ、Ｗ、Ｍｏあるいはそれらの合金などが挙げられるが、特に限定されるものではない。
【００１３】
また、セラミック基体１の内部において高周波回路を形成する上で内部電極２として形成しにくい回路素子については、必要に応じてセラミック基体１の上面にチップ部品４として実装される。なお、実装されるチップ部品４としては、半導体、ＳＡＷデバイス、コンデンサ、インダクタ、抵抗などが挙げられ、特に図示はしていないがチップ部品４は必要に応じて樹脂あるいはキャップにより覆うものである。
【００１４】
そして、このセラミックデバイスにおいては隣接する端子電極３間に位置するセラミック基体１の表面領域を粗面化した構成とし、セラミックデバイスのアイソレーション特性を向上させている。
【００１５】
すなわち、セラミックデバイスにおけるアイソレーション特性の劣化は先にも述べたように、端子電極３間においてセラミック基体１の表面を介して流れる微少電流により影響を受けるもので、この端子電極３間に位置するセラミック基体１の領域を粗面化することにより、図２に示されるように電流経路５の直線性が損なわれ抵抗成分が高くなりその分抵抗成分が高まることになり、結果としてセラミックデバイスのアイソレーション特性を向上させることが出来るのである。
【００１６】
また、このようにセラミック基体１の表面を粗面化するにあたっては、端子電極３間に位置するセラミック基体１の表面に絶縁性粒子６を付着させることにより容易に粗面化することができ、この絶縁性粒子６としては、アルミナ、ジルコニア、マグネシアなどが挙げられるが、特にセラミック基体１に含まれる成分で構成すれば、セラミック基体１との密着強度が強くなり絶縁性粒子６の脱落を防止できるのである。
【００１７】
なお、上述した一実施形態においては端子電極３がセラミックデバイスの実装面に設けられたランドグリッドアレイの構造を挙げて説明したが、端子電極３がセラミックデバイスの側面に設けられた構造であったとしても、その端子電極３間に位置するセラミックデバイスの側面領域を絶縁性粒子６などで粗面化することで同様の効果を奏することが出来るのである。
【産業上の利用可能性】
【００１８】
本発明は、主に高周波用途で使用されるセラミックデバイスに関するものであり、セラミックデバイスにおけるアイソレーション特性を向上させることができるという効果を有し、特に携帯電話などの移動体通信用のモジュールとして有効である。
【図面の簡単な説明】
【００１９】
【図１】本発明の一実施形態におけるセラミックデバイスの模式図
【図２】同セラミックデバイスの端子電極３間における電流経路を示す模式図
【符号の説明】
【００２０】
１  セラミック基体
２  内部電極
３  端子電極
６  絶縁性粒子
【図１】
2006269724.tif 000003
【図２】
2006269724.tif 000004